(57)【要約】【課題】  給紙ローラの回転がカムにより制御される給紙・搬送装置において、紙種におけるレジ取り性能のばらつきを抑える。【解決手段】  搬送ローラ軸又は対向するコロ軸上に軸支されたレジシャッタが、給紙ローラを制御するカムにより回動し、解除する構成とする。【選択図】  図１
2009120365.tif 000002
【特許請求の範囲】
【請求項１】
カムにより給紙動作を制御する給紙装置と、
シートを搬送するレジストローラと、
前記レジストローラに対向して配置されるコロ列と、
前記レジストローラ又はコロ列の軸に回動可能に取り付けられ、シート搬送経路に当接面を突出させたシート当接部材と、
前記シート当接部材をシート搬送方向と逆方向に付勢する付勢手段とを有する画像形成装置において、
前記カムの動きに連動して、前記シート当接部材が回動することを特徴とする画像形成装置。
【請求項２】
用紙搬送時、前記シート当接部材を用紙と接触しない位置に保持するための当接部材ロック手段を設けることを特徴とする請求項１に記載の画像形成装置。
【請求項３】
前記カムの回動動作が、前記当接部材の回動及び、前記当接部材ロック手段の解除を同時につかさどることを特徴とする請求項２に記載の画像形成装置。
【発明の詳細な説明】
【技術分野】
【０００１】
本発明は、用紙上に画像を形成するプリンタ、ファクシミリ、複写機等の画像形成装置に関し、特に搬送中のシートの傾きを補正する斜行補正手段に関するものである。
【背景技術】
【０００２】
画像形成装置において、従来からシート搬送部に設けたシート当接部材によってシートの斜行を補正する手段が種々提案されている。これらは搬送方向に対し垂直に位置するシート当接部材にシート先端を突き当て、シート先端を当接面に倣わせることによりシートを搬送方向に対して垂直に補正するものである（特許文献１参照）。
【０００３】
図４（ａ）は従来例に係る画像形成装置の斜行補正手段の斜視図であり、図４（ｂ）は部分断面図である。シート搬送部を示す。図４（ａ）においてシートＰはレジストローラ１０３及びコロ軸１０５に取り付けられたレジストコロ１０４により搬送される。コロ軸１０５にはレジシャッタ１００が回動可能に取り付けられており、シート搬送面に当接面１００ａを突出させると共に、コロ軸１０５に取り付けた不図示のねじりコイルバネによってシート搬送方向に対向する方向に付勢されている。従って図４（ｂ）が示すように、まず搬送されたシートＰ先端が当接面１００ａに当接し、シートの搬送力がねじりコイルバネの付勢力を上回るとレジシャッタ１００が矢印A方向に回動して退避し、シート先端がレジストローラ１０３とレジストコロ１０４に到達して挟持搬送される。
【０００４】
また、レジシャッタ１００の付勢力をバネではなく電磁クラッチ等の機械的に制止する方法により行い、駆動力により制止を解除させる構成もある。このような構成においてはレジシャッタ１００の上流側にシート検知手段を設けており、これによってシート先端を検知してからシートにループが形成される所定時間を計測し、レジシャッタ１００を回動させて搬送を再開することにより斜行を補正するよう構成している。
【特許文献１】特開２００２−２６５１００号公報
【発明の開示】
【発明が解決しようとする課題】
【０００５】
しかしながら、従来の構成では以下のような問題点があった。
【０００６】
レジシャッタの回動力をバネ圧により管理する時、特にレジシャッタをもったレジストローラ対とその上流側に位置するローラ対のスパンが短い場合などには、ローラ間に形成される用紙のループ量が減少するために、使用する用紙のこしの違いによりシート当接部材を回動させる力に差が生じていた。よって、バネ圧設定時には、こしの弱い用紙を基準にバネ圧を設定しなければならず、こしの強い用紙を搬送する場合には、用紙先端が搬送方向に対して垂直に倣う前にシート当接部材が解除されてしまい、十分な斜行補正効果が得られないことが多かった。また、シート当接部材を機械的に制止し駆動力により制止解除する構成にあっては、電磁クラッチ等の駆動力制御部品や、レジシャッタを回動させるタイミングを取るためにシート当接部材の上流側にシート先端を検知するためのセンサフラグ等が必要であるため、装置の小型化が困難になると同時に、部品点数の増加に伴う生産コストの低減が困難というデメリットを招いていた。
【０００７】
そこで本発明は、紙種による斜行補正能力のバラツキを抑え、確実な紙搬送を実現するとともに、部品点数を削減することで、生産コストの低減あるいは装置の小型化が可能な画像形成装置を提供することを目的としている。
【課題を解決するための手段】
【０００８】
上記課題を解決するために、本発明に係る画像形成装置は、カムにより給紙動作を制御する給紙装置と、シートを搬送するレジストローラと、前記レジストローラに対向して配置されるコロ列と、前記レジストローラ又はコロ列の軸に回動可能に取り付けられシート搬送経路に当接面を突出させたシート当接部材と、前記シート当接部材をシート搬送方向と逆方向に付勢する付勢手段とを有する画像形成装置において、前記カムの動きに連動して前記シート当接部材が回動することを特徴とする。
【０００９】
上記の構成において、紙種による斜行補正能力のバラツキを防止でき、確実な紙搬送を実現できるとともに、部品点数を削減することで、生産コストの低減あるいは装置の小型化が可能な画像形成装置を提供することができる。
【発明の効果】
【００１０】
以上説明したように本発明に係る第一の発明によれば、特にレジストローラとその上流部のローラとのスパンが短い構成の画像形成装置において、従来から問題となっていた紙種の差（紙のこし）によるレジ補正能力のバラツキを抑えることが可能となるため、さまざまな紙種に対して同等のレジ補正能力を得ることができるようになった。また、通紙時にはシャッタを解除できるため、紙粉の発生を防いだり、バックテンションの軽減も図れ、さらには、用紙のループ量を給紙ローラにて規定できるため、従来必要だった用紙のループ量を管理するためのセンサフラグ等を削減することが出来、装置の小型化が計れると同時に、生産コストの低減も可能となるため、その発明の効果は大きい。
【００１１】
また、本発明に係る第二の発明によれば、第一の発明の効果に加え、レジシャッタの解除ならびにレジロック手段の解除をアクチュエータを使わず、給紙カムにより行うことで、第一の発明にも増して装置の小型化が計れると同時に、さらなる生産コストの低減も可能となるため、その発明の効果は大きい。
【発明を実施するための最良の形態】
【００１２】
次に、本発明の詳細を実施例の記述に従って説明する。
【００１３】
以下、本発明に係る実施例について具体的に説明する。
【実施例１】
【００１４】
本発明に係る画像形成装置の第一実施形態について、図を用いて説明する。図１（ａ）は本実施形態に係る画像形成装置の斜行補正手段を示す部分断面図であり、各部品がホームポジションにある状態をあらわしている。図１（ｂ）〜図１（ｄ）は斜行補正手段の動作を説明する部分断面図であり、図２は画像形成装置の全体構成図を示している。
（全体構成）
画像形成装置全体構成および動作について説明する。
【００１５】
図２に示す画像形成装置１０６は、装置前方部に記録媒体であるシートＰを収納するための給紙部１０７を有している。給紙部１０７の内部にはシートを積載するための中板１０８、中板１０８を給送ローラ１０９に加圧するための加圧バネ１１０、中板１０８上の用紙Ｐを一枚ずつ分離するために分離手段１１１を設けている。給紙カム２が回転し、用紙Ｐは給送ローラ１０９により給紙された後、分離パッド１１１により一枚ずつ分離される。その後、レジストローラ３及びレジストコロ４によりプロセスカートリッジ１１２に搬送される。プロセスカートリッジ１１２は感光ドラム１１２ａ、図示しないトナー、現像ローラ１１２ｂを有している。感光ドラム１１２ａは図示しない帯電手段により一様に帯電される。そしてレーザースキャナ１１３は図示しないレーザー光源から発したレーザー光を、高速で回転するスキャナーミラー１１３ａ、折り返しミラー１１３ｂを介して感光ドラム１１２ａ上に走査して静電潜像を形成する。この静電潜像に現像ローラ１１２ｂによってトナーを転移させることにより、トナー像が現像される。感光ドラム１１２ａに形成されたトナー像は、転写ローラ１１４によってシートＰに転写される。トナー像を転写されたシートPは定着ローラ１１５及び加圧ローラ１１６に搬送される。定着ローラ１１５は内部に定着ヒータ１１５ａを有し、シートに熱と圧力を加えることによりトナー像を定着させる。画像が定着されたシートは排出ローラ対１１７によって装置上面の排出トレイ１１８に排出、積載される。
（斜行補正手段）
次に、斜行補正手段の構成について説明する。
【００１６】
図１において、１はコロ軸５に回動可能に軸支され、シート搬送面に当接面１ａを突出させると共に、不図示のバネによってシート搬送方向に対向する方向に付勢されていて、さらには、シート搬送面に対して直交方向かつ搬送路外にシャッタ解除レバー１ｂが設けられている斜行補正手段（以降レジシャッタと記す）、２は給紙ローラ１０９の動きをつかさどり、シャッタ解除レバー１ｂの動きを制御する補助レバー２ａを一体に形成している給紙カム、３はレジストローラ、４はレジストコロ、５はコロ軸、６は不図示のアクチュエータにより揺動制御されていて、用紙搬送時に、レジシャッタ当接部１ａが用紙Ｐと接触するのを避けるためにシャッタ解除レバー１ｂを保持・解除するレジロック手段である。
【００１７】
本実施例では、レジシャッタの解除を給紙カムによって行い、かつ解除したレジシャッタを保持するレジロック手段を設けていることが特徴である。
【００１８】
つぎに斜行補正手段の動作について、説明する。不図示の制御手段により給紙命令がでると、図１（ａ）が示すように、給紙カム２が矢印C方向に解除され、中板１０８上に積載された用紙Ｐは中板ばね１１０の付勢力を受け矢印Ｄ方向に揺動する。給紙ローラ１０９と用紙Ｐに一定圧がかかり、用紙は分離手段１１１方向に給紙される。給紙された用紙Ｐは分離手段１１１によって１枚ずつに分離され、レジストローラ３方向に搬送される。そして、図１（ｂ）が示すように、用紙Ｐ先端はレジシャッタ１の当接面１ａに突き当たって停止する。このとき、給紙ローラ１０９は回転を継続するため、その搬送力により用紙Ｐに座屈が生じ、ループ状の撓みが形成される。これにより、用紙Ｐ先端は当接面１ａに順次沿うように突き当たり、次第に斜行が矯正される。さらに、図１（ｃ）が示すように、給紙ローラ１０９が回転を続けると、給紙カム２の回転と連動して、補助レバー２ａがシャッタ解除レバー１ｂに接触する。シャッタ解除レバー１ｂとレジシャッタ１はＥ方向に回動をはじめ、用紙Ｐのループが解除されると同時にレジストローラ３とレジストコロ４が形成するニップに挟持され搬送される。ここで、レジシャッタ１を付勢しているばねはさまざまな種類の用紙Ｐの座屈荷重（ループを作ったときのたわみ力）よりも上回る強い圧を有していることから、用紙Ｐ後端がレジストローラ対を通過するまでは当接面１ａが用紙Ｐに接触しないように保持する必要があり、その役割を果たすために設けられているのが図１（ｄ）が示すレジロック手段６である。レジシャッタ１が補助レバー２ａにより回動し、用紙Ｐがレジストローラ３とレジストコロ４にて搬送し始めた後、レジロック手段６は不図示のアクチュエータの制御により、矢印Ｆ方向に突き出され、レジシャッタ１の回動をとめる。そして、用紙後端がレジローラ対を過ぎた後、再びアクチュエータの制御により矢印Ｇ方向に動き、レジロック手段が解除され、付勢されているレジシャッタ１は図１（ａ）のようにホームポジションに戻る。
【００１９】
上記のごとく構成したことにより、特にレジストローラとその上流部のローラとのスパンが短い構成の画像形成装置において、従来から問題となっていた紙種の差（紙のこし）によるレジ補正能力のバラツキを抑えることが可能となるため、さまざまな紙種に対して同等のレジ補正能力を得ることができるようになった。また、通紙時にはシャッタを解除できるため、紙粉の発生を防いだり、バックテンションの軽減も図れる。さらには、用紙のループ量を給紙ローラにて規定できるため、従来必要だった用紙のループ量を管理するためのセンサフラグ等を削減することが出来、装置の小型化が計れると同時に、生産コストの低減も可能となった。
【実施例２】
【００２０】
以下、本発明に係る第二の実施例について具体的に説明するが、給紙から画像記録、排紙に至る印刷動作は従来例ならびに実施例１と同一であるため説明を省略する。
【００２１】
図３（ａ）は斜行補正手段の給紙前の状態での断面図であり、図３（ｂ）〜図３（ｄ）は給紙後の斜行補正手段の動作の様子をあらわしている断面図である。
【００２２】
図３において、２1はコロ軸２５に回動可能に軸支され、シート搬送面に当接面２１ａを突出させると共に、不図示のバネによってシート搬送方向に対向する方向に付勢されていて、さらには、シート搬送面に対して直交方向かつ搬送路外にシャッタ解除レバー２１ｂが設けられている斜行補正手段（以降レジシャッタと記す）、２２は給紙ローラ１０９の動きをつかさどり、シャッタ解除レバー２１ｂならびにシャッタ解除レバー２１ｂを保持するレジロック手段２６の動きを制御する補助レバー２２ａを一体に形成している給紙カム、２３はレジストローラ、２４はレジストコロ、２５はコロ軸、２６は不図示のコイルバネによって矢印Ｉ方向に付勢されていて、レジシャッタ当接部２１ａが用紙Ｐと接触するのを避けるためにシャッタ解除レバー２１ｂを保持するレジロック手段である。
本実施例では、レジシャッタの解除ならびに、レジロック手段の解除の両方を給紙カムによって行うことを特徴としている。
【００２３】
つぎに斜行補正手段の動作について、説明する。不図示の制御手段により給紙命令がでると、図３（ａ）が示すように、給紙カム２２が矢印Ｈ方向に解除され、中板１０８上に積載された用紙Ｐは中板ばね１１０の付勢力を受け矢印Ｈ方向に揺動する。給紙ローラ１０９と用紙Ｐに一定圧がかかり、用紙は分離手段１１１方向に給紙される。給紙された用紙Ｐは分離手段１１１によって１枚ずつに分離され、レジストローラ３方向に搬送される。そして、図３（ｂ）が示すように、補助レバー２２ａはレジロック手段２６に接触し、レジロック手段２６は矢印Ｊ方向に回動する。すると、シャッタ解除レバー２１ｂが矢印Ｋ方向に回動し、レジシャッタ２１はホームポジションに戻る。その後、実施例１同様に用紙Ｐは給紙され、用紙Ｐ先端はレジシャッタ２１の当接面２１ａに突き当たって停止する。このとき、給紙ローラ１０９は回転を継続するため、その搬送力により用紙Ｐに座屈が生じ、ループ状の撓みが形成される。これにより、用紙Ｐ先端は当接面２１ａに順次沿うように突き当たり、次第に斜行が矯正される。さらに、図３（ｃ）が示すように、給紙ローラ１０９が回転を続けると、給紙カム２２の回転と連動して、補助レバー２２ａがシャッタ解除レバー２１ｂに接触する。シャッタ解除レバー２１ｂとレジシャッタ２１はＬ方向に回動をはじめ、用紙Ｐのループが解除されると同時にレジストローラ２３とレジストコロ２４が形成するニップに挟持され搬送される。ここで、レジシャッタ２１を付勢しているばねはさまざまな種類の用紙Ｐの座屈荷重（ループを作ったときのたわみ力）よりも上回る強い圧を有していることから、用紙Ｐ後端がレジストローラ対を通過するまでは当接面２１ａが用紙Ｐに接触しないように保持する必要があり、その役割を果たすために設けられているのがレジロック手段２６である。シャッタ解除レバー２１ｂが矢印Ｌ方向に回動を続けると、レジロック手段２６に接触し、レジロック手段２６は矢印Ｍ方向に会同する。そして、シャッタ解除レバー２１ｂがレジロック手段２６の引っ掛け部を通過したと同時に、レジロック手段２６は図３（ｄ）が示すように不図示のコイルバネにより矢印Ｎ方向に付勢され、シャッタ解除レバー２１ｂを保持し、レジシャッタ２１の回動をとめる。そして、給紙カム２２ならびに給紙ローラ１０９の回転は止まり、図３（ａ）と同様にすべてホームポジションの位置に戻る。
【００２４】
上記のごとく構成したことにより、実施例１同等の効果が得られるとともに、レジシャッタの解除ならびにレジロック手段の解除をアクチュエータを使わず、給紙カムにより行うことで、実施例１にも増して装置の小型化が計れると同時に、さらなる生産コストの低減も可能となった。
【図面の簡単な説明】
【００２５】
【図１】本発明に係る第一の実施例の断面図
【図２】本発明に係る第一の実施例の装置全体断面図
【図３】本発明に係る第二の実施例の断面図
【図４】従来のレーザープリンタの斜視図及び断面図
【符号の説明】
【００２６】
１  レジシャッタ
２  給紙カム
３  レジストローラ
４  レジストコロ
５  コロ軸
６  レジロック手段
【図１】
2009120365.tif 000003
【図２】
2009120365.tif 000004
【図３】
2009120365.tif 000005
【図４】
2009120365.tif 000006